(57)【要約】【課題】麻酔導入した豚などの大型動物を台車に載せて手術室まで運搬する作業や運搬した大型動物を手術台に載せ替える作業に要する労力の軽減を図る。【解決手段】動物用移動式手術台装置１は、移動用のキャスタ１１を備えたベースフレーム１０と、ベースフレーム１０上に設けられるリフト手段２０と、リフト手段２０に支持されてベースフレーム１０上を昇降自在な手術台３０と、ベースフレーム１０における移動方向前後の一方の端部に設けられ、ベースフレーム１０の一端側をキャスタ１１の接地面Ｇに対して上昇させ、ベースフレーム１０を接地面Ｇに対して傾斜させるジャッキアップ手段４０とを備え、ジャッキアップ手段４０をベースフレーム１０の下側に装着し、ベースフレーム１０と接地面Ｇとの間のスペースに収納自在にした。【選択図】図１
2014014631.tif 000002
【特許請求の範囲】
【請求項１】
移動用のキャスタを備えたベースフレームと、
前記ベースフレーム上に設けられるリフト手段と、
前記リフト手段に支持されて前記ベースフレーム上を昇降自在な手術台と、
前記ベースフレームにおける移動方向前後の一方の端部に設けられ、前記ベースフレームの一端側を前記キャスタの接地面に対して上昇させ、前記ベースフレームを前記接地面に対して傾斜させるジャッキアップ手段とを備え、
前記ジャッキアップ手段を前記ベースフレームの下側に装着し、前記ベースフレームと前記接地面との間のスペースに収納自在にしたことを特徴とする動物用移動式手術台装置。
【請求項２】
前記手術台は、中心線に沿って中央が凹状に屈折可能であり、その屈折角度を調整自在にしたことを特徴とする請求項１記載の動物用移動式手術台装置。
【請求項３】
前記手術台は、端部に動物の搬入を補助する搬入ローラーを備えたことを特徴とする請求項１又は２のいずれかに記載の動物用移動式手術台。
【請求項４】
前記キャスタは、前記ジャッキアップ手段を設けた側と逆側の車輪を固定する車輪固定手段を備えたことを特徴とする請求項１〜３のいずれかに記載の動物用移動式手術台。
【発明の詳細な説明】
【技術分野】
【０００１】
本発明は、豚などの比較的体重が重い動物の手術に用いられる動物用移動式手術台装置に関するものである。
【背景技術】
【０００２】
豚などの動物の手術は、これまで、注射により麻酔導入した動物を台車に載せて手術室まで運搬し、更に台車から固定式の手術台に動物を載せ替えて、吸入麻酔器による本麻酔を施した後手術を行っていた。しかしながら、豚などの動物は体重が１００ｋｇを越える場合も多くあり、動物を台車に載せる作業、台車に載せた動物を補助者が押さえ付けながら手術室まで運搬する作業、台車から動物を持ち上げて手術台に載せ替える作業については、特に多くの労力が必要で、豚の場合には通常５名程度の作業者が必要になり、手術を行うに際してこれらの作業に多大な労力と時間を要していた。また、これらの一連の作業に多くの時間がかかりすぎた場合には、豚が導入麻酔から覚醒して、作業者が豚に蹴られて負傷するといった危険があり、これら一連の作業の作業時間をできるだけ短縮することが求められている。
【０００３】
従来技術として、下記特許文献１に記載されるような手術用動物搬送システムが提案されている。これは、動物を繋留場所から移動可能な保定枠部に移し、この保定枠部内で麻酔注射をして麻酔をかけ、その後、この麻酔をかけた動物を保定枠部よりも低い位置に配置した担架部に降ろし、その後、この担架部を動物と共に手術用架台部に載せ、その状態で所定の手術を行い、手術終了後所望の場所に運ぶものである。
【先行技術文献】
【特許文献】
【０００４】
【特許文献１】特開２００４−２７５２３０号公報
【発明の概要】
【発明が解決しようとする課題】
【０００５】
前述した従来技術のシステムにおいても、担架部に降ろした動物を担架部と共に手術用架台部に載せる作業には、リフト装置を用いた煩雑な作業を行わざるを得ない。具体的には、動物が載せされた担架部の周囲に吊り上げ用の鎖を係止し、リフト装置を用いて吊り上げ用の鎖を介して担架部を吊り上げ、この状態で吊り上げた担架部を手術用架台部の上に移動させてリフト装置を降下させる。
【０００６】
また、従来システムの手術用架台部は、垂直な支持筒を備え、その支持筒に進退杆が進退可能に嵌挿されて両者が固定ねじで固定されおり、進退杆を適宜の長さに進退させて支持筒に固定することで、担架部の支持高さを適宜の高さに調整できるようになっている。また、前後に配置される進退杆の高さを変えることで、担架部の支持状態を傾斜させることが可能になっている。
【０００７】
このような従来システムの手術用架台部では、固定的に担架部の支持状態を傾斜させることは可能であるが、大重量の動物が担架部に載せられている状態では固定ねじを緩めて進退杆の進退長さを変えることは困難であり、担架部に動物を載せた状態で担架部の支持状態を任意の角度に傾斜調整することができない問題がある。
【０００８】
動物の開腹手術などでは、腹腔内で固定されていない消化器官などの臓器が邪魔になって、腹腔内深部での手術を行い難い場合があり、通常は補助作業者が邪魔になる臓器を押さえて手術を行っている。このような場合に、手術台が任意の角度に傾斜調整可能になると、手術の進行状況に合わせて手術台の傾斜状態を変えて、邪魔になる臓器を重力で邪魔にならない位置に移動させることができる。従来システムでは、このような傾斜調整を行うことができないので、開腹手術などで腹腔内深部での手術を補助者無しに簡易におこなうことができない問題があった。
【０００９】
本発明は、このような問題に対処することを課題の一例とするものである。麻酔導入した豚などの大型動物を台車に載せて手術室まで運搬する作業や運搬した大型動物を手術台に載せ替える作業を改善することができ、このような作業に要する労力の軽減を図ることができること、これらの作業に要する時間の短縮を図ることができること、更には、動物が載った状態の手術台を任意の角度に傾斜調整可能にすることで、開腹手術などで腹腔内深部の手術を補助作業者無しで簡易に行うことができること、などが本発明の目的である。
【課題を解決するための手段】
【００１０】
このような目的を達成するために、本発明による動物用手術台装置は、以下の構成を少なくとも具備するものである。
移動用のキャスタを備えたベースフレームと、前記ベースフレーム上に設けられるリフト手段と、前記リフト手段に支持されて前記ベースフレーム上を昇降自在な手術台と、前記ベースフレームにおける移動方向前後の一方の端部に設けられ、前記ベースフレームの一端側を前記キャスタの接地面に対して上昇させ、前記ベースフレームを前記接地面に対して傾斜させるジャッキアップ手段とを備え、前記ジャッキアップ手段を前記ベースフレームの下側に装着し、前記ベースフレームと前記接地面との間のスペースに収納自在にしたことを特徴とする動物用移動式手術台装置。
【発明の効果】
【００１１】
このような特徴を有する本発明の動物用移動式手術台装置は、麻酔導入した豚などの大型動物をリフト手段で低い位置に降下させた手術台上に直接載せて手術室まで運搬することができ、手術時にはリフト手段で動物が載せられている手術台を所望の高さ位置まで上昇させて手術を行うことができる。これによって動物を手術室まで運搬して手術を行う一連の作業を改善して作業に要する労力の軽減を図ることができ、また一連の作業に要する時間の短縮を図ることができる。更には、動物が載った状態の手術台をジャッキアップ手段によって任意の角度に傾斜調整することができるので、開腹手術などで腹腔内深部の手術を補助作業者無しで簡易に行うことができる。
【図面の簡単な説明】
【００１２】
【図１】本発明の一実施形態に係る動物用移動式手術台装置の説明図であり、図１（ａ）が側面図、図１（ｂ）が正面図である。
【図２】本発明の一実施形態に係る動物用移動式手術台装置における手術台の構成例を示した説明図である。
【図３】本発明の実施形態に係る動物用移動式手術台装置の使用形態例を示した説明図である。
【発明を実施するための形態】
【００１３】
以下、図面を参照しながら本発明の実施形態を説明する。図１は本発明の一実施形態に係る動物用移動式手術台装置の説明図であり、図１（ａ）が側面図、図１（ｂ）が正面図である。
【００１４】
動物用移動式手術台装置１は、ベースフレーム１０、リフト手段２０、手術台３０、ジャッキアップ手段４０を基本構成として備えている。ベースフレーム１０には移動用のキャスタ１１が配備されており、キャスタ１１の車輪１１Ａが矩形状のベースフレームの四方４カ所に装着されている。ベースフレーム１０には、図示省略しているが、手押し用のハンドルを設けることができる。
【００１５】
ベースフレーム１０上に設けられるリフト手段２０は、それ自体は周知の構造であり、十字状にクロスされた一対のリンク２１（２１ａ，２１ｂ）を二組備え、駆動手段２２と操作手段２３によってリンク２１の角度を変えて昇降動作を行うものである。
【００１６】
一対のリンク２１（２１ａ，２１ａ）は中央位置で軸支されている。リンク２１ａは一端側がベースフレーム１０側に軸支され、他端側は手術台３０を支持する上部フレーム３１に沿ってスライド自在に支持されており、リンク２１ｂは一端側が上部フレーム３１側に軸支され、他端側はベースフレーム１０に沿ってスライド自在に支持されている。
【００１７】
リンク２１は、油圧シリンダなどの駆動手段２２で角度が変更される。駆動手段２２はフットペダル２３ａと油圧ポンプ２３ｂなどからなる操作手段２３によって操作される。油圧ポンプ２３ｂの切替弁を圧力供給側に切り替えてフットペダル２３ａを操作すると油圧シリンダからなる駆動手段２２が伸びてリンク２１の角度が立ち上がり、フットペダル２３ａの操作で切替弁を圧力解放側に切り替えると手術台３０などの自重でリンク２１の角度は倒れる。
【００１８】
手術台３０は、リフト手段２０に支持されてベースフレーム１０上を昇降自在に移動する。手術台３０は、上部フレーム３１に支持されており、中心線３０Ａに沿って中央が凹状に屈折可能であり、その屈折角度を調整自在にしている。
【００１９】
ジャッキアップ手段４０は、それ自体は周知の構造であり、パンタグラフ状のリンク４１を備え、水平な対角線上のねじ部材４２を回動させることでリンク４１の角度を変えるものである。このジャッキアップ手段４０は、ベースフレーム１０における移動方向前後の一方の端部に設けられ、ベースフレーム１０の一端側をキャスタ１１の接地面Ｇに対して上昇させ、ベースフレーム１０を接地面Ｇに対して傾斜させる機能を有する。また、ジャッキアップ手段４０はベースフレーム１０の下側に装着されており、ベースフレーム１０と接地面Ｇとの間のスペースに収納自在になっている。
【００２０】
図２は、手術台３０の構成例を示した説明図である。手術台３０は、前述したように、中心線３０Ａに沿って中央が凹状に屈折可能であり、その屈折角度を調整自在にしている。また、手術台３０は、端部に動物の搬入を補助する搬入ローラー３２（３２Ａ，３２Ｂ）を備えている。更に、手術台３０の平面部３３は、編み目状の間隙が形成された面になっている。
【００２１】
麻酔導入した豚などの動物は、先ず搬入ローラー３２上に載せされ、搬入ローラー３２の転がりによる搬入補助を受けながら、平面部３３に載せられる。重量の大きい豚などの動物は台上の移動に苦労するが、この手術台３０は、搬入ローラー３２を設けることで、台上の移動労力を大幅に軽減することが可能になる。また、手術台３０の端部に搬入ローラー３２を設けているので、搬入時に台の先端角部で動物の背中などが擦れて傷つく不具合を解消することができる。平面部３３に動物を移動させると、動物が安定に台上で保持されるように手術台３０の屈折角度を任意に調整する。
【００２２】
図３は、本発明の実施形態に係る動物用移動式手術台装置の使用形態例を示した説明図である。先ず、同図（ａ）に示すように、ベースフレーム１０に近接するように手術台３０を降下させた状態で麻酔導入した動物Ｐを手術台３０上に搬入する。搬入する際には、前述したように、搬入ローラー３２上に動物Ｐを載せ、搬入ローラー３２の転がりによる搬入補助を利用して動物Ｐを平面部３３に移動する。この状態で、手術台３０の屈折角度を調整して動物を台上で安定に保持する。
【００２３】
図３（ａ）に示すように手術台３０上に動物Ｐを載せると、ベースフレーム１０の装備されたキャスタ１１を利用して、そのままの状態で動物Ｐを手術室に移動させる。手術室に移動すると、図３（ｂ）に示すように、手術台３０上に動物Ｐを載せたままの状態でリフト手段２０を動作させて手術台３０を任意の高さに上昇させる。リフト手段２０は高さ位置を任意に調整できるので、手術者は自身の身長に応じて作業のし易い位置に手術台３０の高さを調整することができる。
【００２４】
そして、開腹手術中などで、腹腔内で固定されていない消化管などの臓器が邪魔になり深部での手術操作が困難になった場合には、ジャッキアップ手段４０を動作させて、ベースフレーム１０の一端側をキャスタ１１の接地面Ｇに対して上昇させ、ベースフレーム１０を接地面Ｇに対して傾斜させる。この傾斜状態はジャッキアップ手段４０のアップ幅によって任意に調整することができる。このようにベースフレーム１０を傾斜させることで手術台３０を傾斜させると、重力の作用で邪魔になる臓器を手術対象の深部から避けることができ、特に補助者を設けなくても手術操作を簡易に進めることができる。
【００２５】
この際、ジャッキアップ手段４０は、ベースフレーム１０の下側に装着されており、ベースフレーム１０と接地面Ｇとの間のスペースに収納自在になっているので、移動時には邪魔にならずに収納されており、必要なときには別途ジャッキを装着するような手間がかからず、即座に手術台３０を任意の状態に傾斜させることができる。また、キャスタ１１には、ジャッキアップ手段４０を設けた側と逆側の車輪１１Ａを固定する車輪固定手段を設けることが好ましい。このような車輪固定手段を設けることで、ジャッキアップ時のベースフレーム１０の傾斜状態を安定化させることができる。
【００２６】
このような特徴を有する本発明の実施形態に係る動物用移動式手術台装置によると、以下の効果を得ることができる。先ず、麻酔導入した動物を中央が凹状に屈折する手術台に載せて運搬できるため、運搬の際に台車から動物が落ちないように支える補助作業車が不要になる。更に、手術室に到着した後は、苦労して手術台に動物を載せ替える必要が無く、リフト手段４０によってそのまま手術台３０を必要な高さに上昇させることができる。これによって、麻酔導入から手術へと迅速に作業を進めることができ、麻酔導入から手術室での本麻酔までの時間を短縮することができるので、動物が導入麻酔から覚醒して作業の安全性に支障をきたす不具合を解消することができる。
【００２７】
また、手術時には、リフト手段２０によって、手術台３０を手術者にとって最適な高さ位置に合わせることができるので、手術者の疲労を軽減することができ、これによっても効率的な手術を行うことが可能になる。更には、開腹手術などにおいて腹腔内で固定されていない臓器が邪魔になって深部の手術操作が困難な場合には、ジャッキアップ手段４０を利用して手術台３０を傾斜させ、邪魔な臓器を避けることができるので、手術中の補助作業者を最小限に減らすことができ、簡易に作業を進めることができる。
【００２８】
以上説明した本発明の実施形態に係る動物用移動式手術台装置１は、麻酔導入から手術完了までの作業の効率化と労力の軽減が可能になり、動物医療分野での高い有用性が期待できる。また、手術を受ける動物への負担も軽減されることになるので、動物福祉の観点からも有意義な効果が得られる。
【符号の説明】
【００２９】
１：動物用移動式手術台装置，
１０：ベースフレーム，１１：キャスタ，１１Ａ：車輪，
２０：リフト手段、２１：リンク，２２：駆動手段，２３：操作手段，
３０：手術台，３１：上部フレーム，３２：搬入ローラー，３３：平面部，
４０：ジャッキアップ手段，４１：リンク，４２：ねじ部材
【図１】
2014014631.tif 000003
【図２】
2014014631.tif 000004
【図３】
2014014631.tif 000005